(57)【特許請求の範囲】
【請求項１】
収納家具における引出しの引手を引く操作に連動してラッチが解除される引手装置であって、
引出し前板の上部から下方に離間させた左右方向回転軸まわりに回動可能な引手体を前記前板の上側に設けるとともに、該引手体の回動による隙間を塞ぐ重合部が設けられた、前記前板と一体又は別体のカバー体を設けてなることを特徴とする収納家具における引出しの引手装置。
【請求項２】
前記引手体が、略水平に左右方向に延びる水平板部と、該水平板部の前端から略垂直に左右方向に延びる垂直板部とからなる側面視略Ｌ字状のものであり、
前記カバー体が、前記重合部である、前記引手体の水平板部の上側において略水平に左右方向に延びる水平カバー体と、該水平カバー体の後端から略垂直に左右方向に延びる垂直カバー体とからなる側面視略Ｌ字状のものである請求項１記載の収納家具における引出しの引手装置。
【請求項３】
前記回転軸と前記引手体とを連結する連結体を設け、該連結体及び引手体からなる前記回転軸まわりの回動体の重力トルクがラッチが掛かる方向に作用するように構成してなる請求項１記載の収納家具における引出しの引手装置。
【請求項４】
前記回転軸が、前記連結体と一体に形成された板金加工品の下部左右を左右方向外側に延設してなる板体であり、
前記回転軸を支持する回転軸受けが、前記板体に外嵌する円形の孔又は凹部が形成された合成樹脂成形品を、該孔又は凹部を対向させて左右に２個配設したものである請求項３記載の収納家具における引出しの引手装置。
【発明の詳細な説明】
【技術分野】
【０００１】
本発明は、ワゴン又は袖キャビネット等の収納家具における引出しの引手装置に係わり、更に詳しくは、引手を引く操作に連動してラッチが解除される引手装置に関するものである。
【背景技術】
【０００２】
従来のワゴン又は袖キャビネット等の収納家具において、引出しの引手を引く操作に連動してラッチが解除される引手装置として、前板上縁部の左端から右端に亘って前面側に開口する凹部が形成された引手と、該引手の左右方向の回転軸に対して略垂直な軸を中心に回転可能な第１回転アームと、前記回転軸に平行な軸を中心に回転可能な第２回転アームと、第１回転アームの先端部に支持され収納家具本体の一部と係留する係留爪と、引手に取付けられ該引手の回転動作を第２回転アームに伝達する伝達部材とを具備し、第２回転アームの基端部及び先端部を前記引手に対し略垂直方向に上下に各々折り曲げ成形し、当該基端部を伝達部材の一部に当てるとともに、当該先端部を前記引手に対し略平行方向に折り曲げ成形した前記第１回転アームの基端部に当ててなるもの（例えば、特許文献１参照）等がある。
【０００３】
【特許文献１】特開２００４−８９２２０号公報（図４、図５、図９）
【発明の開示】
【発明が解決しようとする課題】
【０００４】
特許文献１の引出しの引手装置においては、引出し前板の上側において、左右方向軸まわりに回動可能な引手の前面側に形成された側面視略Ｕ字状の凹部（特許文献１の図４参照）に操作者が指を入れた状態で、該引手を操作することにより、ラッチの解除及び引出しの引き出しがなされる。すなわち、操作者が前記凹部に指を入れた状態で、引手全体を前側に回動させればラッチが解除され、この状態においては引き出しを前方に引き出すことができる。
【０００５】
このような引手装置においては、操作者が指を入れる前記凹部の空間が広がらない構造であるため、引手の高さ位置及び引出しの前後ストローク並びに操作者の体格等によっては、操作者の指が前記凹部の側面に当たって前記引手の操作を行いにくい場合がある。また、前記凹部の空間を大きくし過ぎると、商品価値として重要な収納家具前面の美観を損ねることになる。さらに、引出しを閉じた状態で前記引手全体が手前側に回動するため、収納家具の天板及び最上段の引出し間又は上下の引出し間の隙間が拡大して防盗性能が低下し、防犯上問題となる場合がある。
【０００６】
本発明は、前記のような問題点を解決するためになされたものであり、引出し前板の上側に配設された引手の操作性を改善することができる収納家具における引出しの引手装置を得ることを目的とする。また、収納家具の天板及び最上段の引出し間又は上下の引出し間の隙間が拡大することがないため、防盗性能が低下しない収納家具における引出しの引手装置を得ることを目的とする。
【課題を解決するための手段】
【０００７】
本発明に係る収納家具における引出しの引手装置は、前記課題解決のために、収納家具における引出しの引手を引く操作に連動してラッチが解除される引手装置であって、引出し前板の上部から下方に離間させた左右方向回転軸まわりに回動可能な引手体を前記前板の上側に設けるとともに、該引手体の回動による隙間を塞ぐ重合部が設けられた、前記前板と一体又は別体のカバー体を設けてなるものである。
【０００８】
ここで、前記引手体が、略水平に左右方向に延びる水平板部と、該水平板部の前端から略垂直に左右方向に延びる垂直板部とからなる側面視略Ｌ字状のものであり、前記カバー体が、前記重合部である、前記引手体の水平板部の上側において略水平に左右方向に延びる水平カバー体と、該水平カバー体の後端から略垂直に左右方向に延びる垂直カバー体とからなる側面視略Ｌ字状のものであると好ましい。
【０００９】
また、前記回転軸と前記引手体とを連結する連結体を設け、該連結体及び引手体からなる前記回転軸まわりの回動体の重力トルクがラッチが掛かる方向に作用するように構成してなると好ましい。
【００１０】
さらに、前記回転軸が、前記連結体と一体に形成された板金加工品の下部左右を左右方向外側に延設してなる板体であり、前記回転軸を支持する回転軸受けが、前記板体に外嵌する円形の孔又は凹部が形成された合成樹脂成形品を、該孔又は凹部を対向させて左右に２個配設したものであると好ましい。
【発明の効果】
【００１１】
本発明に係る収納家具における引出しの引手装置によれば、収納家具における引出しの引手を引く操作に連動してラッチが解除される引手装置であって、引出し前板の上部から下方に離間させた左右方向回転軸まわりに回動可能な引手体を前記前板の上側に設けるとともに、該引手体の回動による隙間を塞ぐ重合部が設けられた、前記前板と一体又は別体のカバー体を設けてなるので、前記引手体と前記カバー体とが別体であり、前記引手体が回動しても前記カバー体は回動しないため、収納家具の天板及び最上段の引出し間又は上下の引出し間の隙間が拡大することがない。したがって、防盗性能が低下することがない収納家具における引出しの引手装置を得ることができる。また、前記回転軸が前記引手体から下方に離間させた位置に設けられているので、前記引手体を回動させてもその姿勢変化が少なく、前記引手体と前記カバー体の重合部との隙間が殆ど広がらないため、防盗性能が低下することがない。さらに、前記引手体の姿勢変化が少ないため、該引手体の操作性がさらに向上する。
【００１２】
また、前記引手体が、略水平に左右方向に延びる水平板部と、該水平板部の前端から略垂直に左右方向に延びる垂直板部とからなる側面視略Ｌ字状のものであり、前記カバー体が、前記重合部である、前記引手体の水平板部の上側において略水平に左右方向に延びる水平カバー体と、該水平カバー体の後端から略垂直に左右方向に延びる垂直カバー体とからなる側面視略Ｌ字状のものであると、前記引手体と前記カバー体とが別体であり、前記引手体が回動しても前記カバー体は回動しないので、前記引手体を回動させると、操作者が指を入れる、前記側面視略Ｌ字状の引手体と前記側面視略Ｌ字状のカバー体との側面視略Ｕ字状の凹部の空間が広がるため、前記操作者の指が前記引手体又はカバー体に当たって操作が阻害されることがない。
【００１３】
さらに、前記回転軸と前記引手体とを連結する連結体を設け、該連結体及び引手体からなる前記回転軸まわりの回動体の重力トルクがラッチが掛かる方向に作用するように構成してなると、引出しを閉じた状態でラッチを収納家具本体の内側面に向かって弾性付勢するばねを弱くすることができる。したがって、軽い力でラッチの解除操作を行うことができるため、前記引手体の操作性が向上する。
【００１４】
さらにまた、前記回転軸が、前記連結体と一体に形成された板金加工品の下部左右を左右方向外側に延設してなる板体であり、前記回転軸を支持する回転軸受けが、前記板体に外嵌する円形の孔又は凹部が形成された合成樹脂成形品を、該孔又は凹部を対向させて左右に２個配設したものであると、簡素な構成により回転軸及び回転軸受けを構成することができるため、部品点数削減により低コスト化を図ることができる。また、回転軸が板金製であり回転軸受けが合成樹脂製であるため、前記引手体操作時に摺動等による騒音が発生することがなく、静粛性を向上することができる。
【発明を実施するための最良の形態】
【００１５】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、引出しを引き出す方向側（引出しを開ける方向側）を前、その反対側（引出しを閉じる方向側）を後とし、後方に向かって左右を左右とする。
【００１６】
図１は、本発明の実施の形態に係る収納家具における引出しの引手装置が、収納家具の例として示す上下２段の引出しを備えたワゴンに用いられた例を示す縦断左側面図である。また、図２〜図４は引出しの前板及び引手装置の説明図であり、図２は背面図、図３は左側面図、図４は分解斜視図である。また、図５は主にラッチ装置の構成を示す部分縦断背面図、図６は引手装置の動作説明図であり、図６（ａ）は引出しを閉じたラッチの作動状態を、図６（ｂ）は引手体を回動させたラッチの解除状態を示している。
【００１７】
図１において、ワゴン１０１は、ワゴン本体１０２と、ワゴン本体１０２の左右内側面に取付けられたレール並びに該レールに係合するローラ及びスライダー等の組合せからなる案内手段１０３，１０３により支持されて前後に開閉可能な、上段引出し１０４及び下段引出し１０５等から構成される。また、ワゴン本体１０２は、後側板１０６及び左右側板１０７，１０７からなる前側を開放してなる平面視略コ字状の側板、該側板の上部前後に取付けられた上框１０８ａ及び取付板１０８ｂ、該側板の下部前後に取付けられた下框１０９ａ及び底板１０９ｂ、上框１０８ａ及び取付板１０８ｂの上面に取付けられた天板１１０、並びに、下框１０９ａ及び底板１０９ｂの下面に取付けられたキャスター１１１，…等により構成される。該キャスター１１１，…により、ワゴン１０１の移動が容易となっている。
【００１８】
上段引出し１０４及び下段引出し１０５は、前板１の後面に裏カバー２を取付け、その後側に上方に開口する正面視略コ字状の胴板３を取付け、該胴板３の後側に後板４を取付けて物品の収容部を形成している。
【００１９】
引出し１０４，１０５を閉じてワゴン本体１０２内に収容した状態では、平面視及び側面視において天板１１０及び左右の側板１０７，１０７により該引出し１０４，１０５が隠されるため、すっきりとした外観の印象を与えることができるとともに、後述する樹脂製の引手体１２及びカバー体１３を保護することができる。
【００２０】
また、引出し１０４，１０５は、前記のとおり案内手段１０３，１０３により支持されて前後に開閉可能とされ、引出し１０４，１０５を閉じると、後述するラッチ装置３１が作動状態となるため、引越若しくは模様替え等の移動時又は地震時等において、引出し１０４，１０５が不意に開くことが防止される。そして、引手体１２を引くと、該操作に連動してラッチ装置３１が解除状態となる。
【００２１】
図２〜図４において、前板１は、鋼板製であり、その上部は、後方に折り曲げられ、その上面には、左右方向軸まわりに回動可能に支持される引手体１２との干渉回避用である左右方向に延びる左右の通孔２２，２２が形成され、該後方折曲部から、さらに、上方、後方及び下方に連続して折り曲げられてカバー体支持部２１が形成される（図６も参照）。
【００２２】
また、前板１の左右は、後方及び左右方向内側へ連続して折り曲げられて平面視略コ字状とされ、該左右の折曲部の後面側には、回転軸受け１４，１４取付用の左右の切欠き２３，２３及び係止孔２５，２５、並びに、該切欠き２３及び係止孔２５の下側にはラッチ受け３６取付用の切欠き２４及び係止孔２６が形成される。
【００２３】
左右の回転軸受け１４，１４は、ポリアセタール、ポリプロピレン、ポリエチレンテレフタレート、ナイロン又はＡＢＳ等の合成樹脂製であり、前記左右の切欠き２３，２３に係合凸部１５，１５を係合させてスライドさせ、前記係止孔２５，２５に係止爪１６，１６を係止させることにより、前板１の裏側の前記左右の平面視略コ字状部内の、引手体１２から下方に離間させた位置に、円形の係合凹部１４ａ，１４ａを対向させた状態で取付けられる。なお、係合凹部１４ａ，１４ａは円形の孔であってもよい。
【００２４】
回転軸受け１４，１４の係合凹部１４ａ，１４ａには、該係合凹部１４ａ，１４ａの内径よりも長さが若干小さい、回転軸を構成する板体１７，１７が係合する。すなわち、回転軸受け１４，１４の係合凹部１４ａ，１４ａが、板体１７，１７に外嵌する。該板体１７，１７は、板金加工品である連結体１８の下部左右を左右方向外側に延設してなり、連結体１８と一体に形成される。
【００２５】
このような回転軸受け１４，１４、回転軸である板体１７，１７及び連結体１８の構成によれば、簡素な構成により回転軸及び回転軸受けを構成することができるため、部品点数削減により低コスト化を図ることができる。また、回転軸１７，１７が板金製であり回転軸受け１４，１４が合成樹脂製であるため、引手体１２の操作により該回転軸と該回転軸受けが摺動しても騒音が発生することがなく、静粛性を向上することができる。
【００２６】
引手装置１１は、引出し１０４，１０５の前板１の上側において、左右方向軸まわりに回動可能な、ポリアセタール、ポリプロピレン、ポリエチレンテレフタレート、ナイロン又はＡＢＳ等の合成樹脂製の引手体１２と、該引手体１２の回動による隙間を塞ぐ重合部が設けられた、引手体１２と同様の合成樹脂製のカバー体１３とを備えている。なお、カバー体１３は前板１と別体ではなく、一体のものであってもよい。
【００２７】
引手体１２は、略水平に左右方向に延びる水平板部１２ａと、該水平板部１２ａの前端から略垂直に左右方向に延びる垂直板部１２ｂとからなる側面視略Ｌ字状のものである。また、カバー体１３は、前記重合部である、引手体１２の水平板部１２ａの上側において略水平に左右方向に延びる水平カバー体１３ａと、該水平カバー体の後端から略垂直に左右方向に延びる垂直カバー体１３ｂとからなる側面視略Ｌ字状のものである。
【００２８】
引手体１２には、後方に延設された板状部の後端を垂下させてなる左右の取付部１２ｃ，１２ｃが一体に形成されているため、該取付部１２ｃ，１２ｃを前板１の前記左右の通孔２２，２２を通して連結体１８の後面に当接させた状態で、取付ねじ２８，２８を取付部１２ｃ，１２ｃの通孔１９，１９を通して連結体１８の螺孔１８ａ，１８ａに螺合させることにより、引手体１２は、該引手体１２から下方に離間させた位置の回転軸である板体１７，１７まわりに回動可能に支持される。
【００２９】
カバー体１３には、その後部に下側に開口部を有する函状の取付部１３ｃが一体に形成されているため、該取付部１３ｃを前板１の前記カバー体支持部２１に上側から外嵌した状態で、取付ねじ２７，…を取付部１３ｃの通孔２０，…を通してカバー体支持部２１の螺孔２１ｂ，…に螺合させることにより、カバー体１３は、前板１上部のカバー体支持部２１に固定される。
【００３０】
なお、カバー体支持部２１後側の隅部にはスリット２１ａ，…が形成されており、該スリット２１ａ，…に取付部１３ｃ内の補強リブ１３ｄ，…（図２参照）が係合するため、カバー体１３とカバー体支持部２１とは、強固に連結される。また、スリット２１ａ，…と補強リブ１３ｄ，…とを位置決め用のガイドとすることができるため、カバー体１３を前板１のカバー体支持部２１に取付ける作業の作業性を向上することができる。
【００３１】
次に、引手体１２の操作に連動するラッチ装置３１の構成について説明する。ラッチ本体３２には角孔３２ａが形成されており、該角穴３２ａには鋼製の駆動杆３９の垂直部３９ａが嵌入される。また、ラッチ本体３２にはラッチ板３３とストッパー３５とが略９０°位相をずらして水平方向に突設される。なお、ラッチ本体３２、ラッチ板３３及びストッパー３５は、ポリアセタール、ポリプロピレン、ポリエチレンテレフタレート、ナイロン又はＡＢＳ等の合成樹脂製であり、一体成形される。
【００３２】
ラッチ受け３６は、前記ラッチ本体３２等と同様の合成樹脂製であり、前記切欠き２４の上下に上下の係合片３７を係合させてスライドさせ、前記係止孔２６に係止爪３８を係止させることにより、前板１に取付けられる。そして、ラッチ受け３６の上下の係合孔３６ａ，３６ａにラッチ本体３２を係合させることにより、ラッチ本体３２、ラッチ板３３及びストッパー３５並びに駆動杆３９が垂直軸まわりに回動可能に支持される。なお、駆動杆３９の垂直部３９ａの上部は、左側（図２及び図４の右側）の回転軸受け１４に形成した図示しない垂直孔によっても支持される。
【００３３】
ラッチ板３３には係止部３３ａが形成されており、ねじりコイルばね４０により、引出し１０４，１０５を閉じた状態でワゴン本体１０２の左側板１０７方向に向かって弾性付勢される。したがって、ラッチ板３３の係止部３３ａが、ワゴン本体１０２の左側板１０７の内側に取付けられた図示しない補強体に形成された係止突起に係止するため、引出し１０４，１０５を閉じた状態でラッチ装置３１が作動状態となり、前記のとおり引出し１０４，１０５が不意に開くことが防止される。なお、ラッチ本体３２には、ラッチ板３３の前記係止突起方向への回動を所定角度で規制する回転止め３４が突設されている。
【００３４】
駆動杆３９は、その垂直部３９ａの上部において前板１の左右方向の内側方向（図２の左方）に向かう水平部３９ｂが延設されている。該水平部３９ｂには後側から前記連結体１８から前側に延びる当接部１８ｂが当接する。
【００３５】
次に、図５及び図６により、引手装置１１及びラッチ装置３１の動作について説明する。図６（ａ）の引出し１０４，１０５を閉じた状態から、図６（ｂ）のように引手体１２を前方に引くと、引手体１２及び連結体１８は回転軸である板体１７，１７まわりに前方へ回動する。そうすると、連結体１８の当接部１８ｂにより駆動杆３９の水平部３９ｂが前方に押され、駆動杆３９の垂直軸まわりの回動に伴って、ラッチ本体３２、ラッチ板３３及びストッパー３５も、ラッチ板３３がワゴン本体１０２内側面に設けられた前記係止突起から離れる方向に回動する。
【００３６】
このようにして、引手体１２を前方に引くと、該操作に連動してラッチ装置３１が解除状態となる。したがって、このラッチ装置３１の解除状態では、引出し１０４，１０５を引き出すことができる。なお、図５に示すように合成樹脂製のストッパー３５が鋼製の前板１の背面に当接して駆動杆３９及びラッチ板３３等の回動を規制し、鋼製の駆動杆３９の水平部３９ｂ先端が鋼製の前板１の背面に当接しないように構成しているため、ラッチ装置３１の解除時における騒音を抑制することができる。
【００３７】
このようにラッチ装置３１を解除して引出し１０４，１０５を引き出す際に、引手体１２とカバー体１３とが別体であり、引手体１２が回動してもカバー体１３は回動しないため、図６（ｂ）のように引手体１２を回動させると、操作者が指を入れる、前記側面視略Ｌ字状の引手体１２と前記側面視略Ｌ字状のカバー体１３との側面視略Ｕ字状の凹部の空間Ｓが広がるため、操作者の指が引手体１２又はカバー体１３に当たって操作が阻害されることがない。
【００３８】
また、前記のとおり回転軸が引手体１２から下方に離間させた位置に設けられているので、引手体１２を回動させてもその姿勢変化が少なく、引手体１２の水平板部１２ａと水平カバー体１３ａ間の隙間は殆ど広がらないため、防盗性能が低下することがない。さらに、このように引手体１２の姿勢変化が少ないため、引手体１２の操作性がさらに向上する。
【００３９】
さらにまた、前記のとおり回転軸が引手体１２から下方に離間させた位置に設けられており、連結体１８及び引手１２の取付部１２ｃ，１２ｃが該回転軸の上側において後方に偏心した重りとなっているため、該回転軸まわりに回動する回転体である連結体１８及び引手体１２による該回転軸まわりの重力トルクは、ラッチが掛かる方向（ラッチ装置３１が作動状態となる方向）に作用する。したがって、引出し１０４，１０５を閉じた状態でラッチ板３３をワゴン本体１０２の内側面に向かって弾性付勢するばね４０を弱くすることができる。よって、軽い力でラッチ装置３１の解除操作を行うことができるため、引手体１２の操作性が向上する。
【００４０】
また、回転軸である板体１７，１７の上側の連結体１８の当接部１８ｂにより、駆動杆３９の水平部３９ｂを前方に押して前記ラッチ装置３１を解除状態とする操作を、該回転軸と該当接部１８ｂとの距離よりも該回転軸からの距離が大きい引手体１２を操作して行うため、てこの原理により引手体１２の操作力が小さくなる。したがって、より軽い力でラッチ装置３１の解除操作を行うことができるため、引手体１２の操作性がさらに向上する。
【図面の簡単な説明】
【００４１】
【図１】本発明の実施の形態に係る収納家具における引出しの引手装置が上下２段の引出しを備えたワゴンに用いられた例を示す縦断左側面図である。
【図２】引出しの前板及び引手装置の背面図である。
【図３】同じく左側面図である。
【図４】同じく分解斜視図である。
【図５】主にラッチ装置の構成を示す部分縦断背面図である。
【図６】引手装置の動作説明図であり、（ａ）はラッチの作動状態を、（ｂ）はラッチの解除状態を示している。
【符号の説明】
【００４２】
Ｓ  引手体とカバー体との間の凹部
１０１  ワゴン（収納家具）
１０４  上段引出し
１０５  下段引出し
１  前板
１１  引手装置
１２  引手体
１２ａ  水平板部
１２ｂ  垂直板部
１３  カバー体
１３ａ  水平カバー体（重合部）
１３ｂ  垂直カバー体
１４  回転軸受け
１４ａ  係合凹部
１７  板体（回転軸）
１８  連結体
１８ｂ  当接部
３１  ラッチ装置
３３  ラッチ板
３３ａ  係止部
３６  ラッチ受け
３９  駆動杆
３９ａ  垂直部
３９ｂ  水平部
４０  ねじりコイルばね
【図１】
0004736732.tif 000002
【図２】
0004736732.tif 000003
【図３】
0004736732.tif 000004
【図４】
0004736732.tif 000005
【図５】
0004736732.tif 000006
【図６】
0004736732.tif 000007